(57)【要約】【課題】ＲＦモジュレータの組立工程の動作確認作業中にケーブルの断線がないようにする。【解決手段】本発明はＲＦモジュレータ１０に於いて、シールドケース１６にブッシュ１８を固定するための第１開穿孔２０を設け、一方、この第１開穿孔２０を受け入れて該第１開穿孔２０と密嵌するための第１係合溝２１をブッシュ１８に設ける。そして、第１開穿孔２０を第１係合溝２１に密嵌させることによりブッシュ１８をシールドケース１６に固定し、斯くして、ケーブル１３も該シールドケース１６に固定されることになる。【選択図】　図２
2004072042.tif 000002
【特許請求の範囲】
【請求項１】
ケーブル端部近傍にブッシュが装着しており、一方、回路基板、ＩＣ、コイル等から成るＲＦモジュレータをシールドしている金属製のシールドケースが設けられ、該シールドケース内に前記ケーブルを挿入して前記回路基板に夫々接続するように構成して成るＲＦモジュレータに於けるブッシュ支持装置に於いて、前記シールドケースには前記ブッシュを固定するための第１開穿孔が開穿されており、一方、前記ブッシュ端部外周には前記第１開穿孔と密嵌するための第１係合溝が周設されており、該第１係合溝と該第１開穿孔とを密嵌させて、該シールドケースに前記ブッシュを固定したことを特徴とするＲＦモジュレータに於けるブッシュ支持装置。
【請求項２】
ケーブル端部近傍にブッシュが装着しており、一方、回路基板、ＩＣ、コイル等から成るＲＦモジュレータをシールドしている金属製のシールドケースが設けられ、該シールドケース内に前記ケーブルを挿入して前記回路基板に夫々接続するように構成して成るＲＦモジュレータに於けるブッシュ支持装置に於いて、前記シールドケースには前記ブッシュを固定するための第１開穿孔が開穿されており、一方、前記ブッシュ端部外周には前記第１開穿孔と密嵌するための第１係合溝が周設されており、該第１係合溝と該第１開穿孔とを密嵌させて、該シールドケースに前記ブッシュを固定すると共に、
上記シールドケースは合成樹脂のモールドケース内に組み付けられ、前記ケーブルは該モールドケースを通ってシールドケース内に挿入されて前記回路基板に接続されるように形成され、一方、該モールドケースには該ブッシュを固定するための第２開穿孔が開穿されており、更に、該ブッシュ端部近傍には前記第２開穿孔と密嵌するための第２係合溝が周設されており、該第２開穿孔と該第２係合溝とを密嵌させて該ブッシュを該モールドケースに固定して成るＲＦモジュレータに於けるブッシュ支持装置。
【請求項３】
上記シールドケースとモールドケースとが近接して組み付けられたことを特徴とする請求項２記載のＲＦモジュレータに於けるブッシュ支持装置。
【発明の詳細な説明】
【０００１】
【発明の属する技術分野】
本発明は、ＲＦモジュレータに於けるブッシュ支持装置に関するものであり、特に、ケーブル端部近傍に装着されているブッシュをケースに確実に固定してケーブルの断線を防止するように構成されたＲＦモジュレータに於けるブッシュ支持装置に関するものである。
【０００２】
【従来の技術】
従来此種ＲＦモジュレータに於けるブッシュ支持装置を図４に従って説明する。図に於いて１はＲＦモジュレータであり、該ＲＦモジュレータ１には各種信号線等から成るケーブル２が接続されている。而して、該ＲＦモジュレータ１はテレビにゲーム機（図示せず）及びテレビアンテナケーブルを接続できるように形成し、そして、切替えスイッチによってテレビ放送とゲーム機の信号とを切替えて、双方の信号をテレビに出力できるように構成されて成るものである。
【０００３】
又、該ＲＦモジュレータ１は合成樹脂にて形成されたモールドケース３と、該モールドケース３内に組み付けられる金属製のシールドケース４とを有し、該シールドケース４は該シールドケース４内に配設される回路基板、空心コイル、ＩＣ等をシールドするものであり、そして、該シールドケース４内に配設されている前記回路基板に前記ケーブル２の端子が接続されるように形成されている。
【０００４】
一方、前記ケーブル２の一端部近傍には合成樹脂にて形成されたブッシュ５が装着されている。而して、該ブッシュ５は該ケーブル２の外周面を端部方向へ向って截頭円錐形状に膨拡して形成されており、更に、該ブッシュ５の外周面には複数の径の異なる環状溝６，６…が刻設され、そして、該環状溝６，６…のうちの任意の一本の環状溝６を選択して前記モールドケース３に設けられている開穿孔８と係合させて該ブッシュ５を該モールドケース３に固定できるように形成されるのであるが、図４に示す前記開穿孔８は該ブッシュ５の後端部（図に於いて右端部）に周設されている係合溝７に係合して該ブッシュ５を該モールドケース３に固定している。斯くして、該ブッシュ５に端部近傍を装着された該ケーブルの後端部は該モールドケース３内に挿入され、更に、前記シールドケース４内に遊挿されて該シールドケース４内の回路基板に接続されるのであるが、該シールドケース４には該ケーブル２を遊挿するための大径の挿通孔９が開穿されており、該挿通孔９を介して該ケーブル２はシールドケース内に導入されて前記回路基板に接続されることになるのである。
【０００５】
而して、該ＲＦモジュレータ１を組み立てる際には、先ず、前記ケーブル２をシールドケース４に設けた前記挿通孔９に遊挿して該ケーブル２の端子をシールドケース４内に設けられている回路基板にハンダ付けの手段等によって接続する。
【０００６】
次いで、前記ブッシュ５の端部に設けた前記係合溝７に前記モールドケース３に開穿されている開穿孔８を密嵌して該ブッシュ５を該モールドケース３に固定するのであるが、該モールドケース３はアッパーケースとロワーケースとが形成されているので、ロワーケースに設けられている前記開穿孔８の下側半部相当部位を該ブッシュ５の前記係合溝７の下半部に係合し、更に、アッパーケースに設けられている前記開穿孔８の上側半部相当部位を該ブッシュ５の前記係合溝７の上半部に係合し、そして、適切な手段によって該ロワーケースとアッパーケースとを相互に結合することにより、該開穿孔８に係合されたブッシュ５は該モールドケース３に固定されることになる。
【０００７】
斯くして、ＲＦモジュレータ１が形成され、該ＲＦモジュレータ１を使用することにより、スイッチの切替えによってテレビへゲーム機の信号とテレビの信号とを出力することが可能となる。又、該ケーブル２が不意に他物に引掛されたときには、該引掛による応力は前記ブッシュ５によって吸収され、該ケーブル２の断線が防止できるように形成されているのである。
【０００８】
【発明が解決しようとする課題】
上記従来例のＲＦモジュレータに於けるブッシュ支持装置は、ケーブルをシールドケースの挿入孔に遊挿し、更に、該ケーブルの端子を前記回路基板にハンダ付け等の手段によって接続し、そして、モールドケースの前記開穿孔を前記ブッシュに設けられている係合溝に嵌合して該モールドケースに該ブッシュを固定することにより、該ケーブルが安定的にモールドケースに固定できるように構成されている。
【０００９】
然し乍ら、該ケーブルをＲＦモジュレータの回路基板にハンダ付け等の手段で接続するとき、該ケーブルはモールドケースによって固定されていない状態で実施されるので、該ケーブルのハンダ付け等の作業に困難性を伴うのであり、更に、組立工程中における動作確認作業はシールドケース内の回路基板に該ケーブルが接続された状態で実施されるのであるが、このとき、前記従来例の場合は、未だ該ブッシュが固定されていないので、該ケーブルの引張操作等により該ケーブルが断線される可能性がある。
【００１０】
そこで、ＲＦモジュレータにケーブルを接続する際、或いは組立工程の動作確認作業中に於いてケーブルの断線がないようにし、且つ、ＲＦモジュレータの品質及び歩留りを向上させるために解決せられるべき技術的課題が生じてくるのであり、本発明は該課題を解決することを目的とする。
【００１１】
【課題を解決するための手段】
本発明は上記目的を達成するために提案せられたものであり、ケーブル端部近傍にブッシュが装着しており、一方、回路基板、ＩＣ、コイル等から成るＲＦモジュレータをシールドしている金属製のシールドケースが設けられ、該シールドケース内に前記ケーブルを挿入して前記回路基板に夫々接続するように構成して成るＲＦモジュレータに於けるブッシュ支持装置に於いて、前記シールドケースには前記ブッシュを固定するための第１開穿孔が開穿されており、一方、前記ブッシュ端部外周には前記第１開穿孔と密嵌するための第１係合溝が周設されており、該第１係合溝と該第１開穿孔とを密嵌させて、該シールドケースに前記ブッシュを固定して成るＲＦモジュレータに於けるブッシュ支持装置、及びケーブル端部近傍にブッシュが装着しており、一方、回路基板、ＩＣ、コイル等から成るＲＦモジュレータをシールドしている金属製のシールドケースが設けられ、該シールドケース内に前記ケーブルを挿入して前記回路基板に夫々接続するように構成して成るＲＦモジュレータに於けるブッシュ支持装置に於いて、前記シールドケースには前記ブッシュを固定するための第１開穿孔が開穿されており、一方、前記ブッシュ端部外周には前記第１開穿孔と密嵌するための第１係合溝が周設されており、該第１係合溝と該第１開穿孔とを密嵌させて、該シールドケースに前記ブッシュを固定すると共に、上記シールドケースは合成樹脂のモールドケース内に組み付けられ、前記ケーブルは該モールドケースを通ってシールドケース内に挿入されて前記回路基板に接続されるように形成され、一方、該モールドケースには該ブッシュを固定するための第２開穿孔が開穿されており、更に、該ブッシュ端部近傍には前記第２開穿孔と密嵌するための第２係合溝が周設されており、該第２開穿孔と該第２係合溝とを密嵌させて該ブッシュを該モールドケースに固定して成るＲＦモジュレータに於けるブッシュ支持装置、並びに上記シールドケースとモールドケースとが近接して組み付けられて成るＲＦモジュレータに於けるブッシュ支持装置を提供するものである。
【００１２】
【発明の実施の形態】
以下、本発明の一実施の形態を図１乃至図３に従って詳述する。尚、説明の都合上、従来技術と同一構成部分も同時に説明するものとする。
【００１３】
図１に於いて、１０はＲＦモジュレータであり、該ＲＦモジュレータ１０の本体１１にはケーブル１２，１３及びジャック１４が装着されている。一方のケーブル１２はゲーム機（図示せず）に接続され、他方のケーブル１３はテレビに接続できるように形成されている。
【００１４】
又、ジャック１４には、テレビ用のアンテナケーブルが接続され、切替えスイッチにて該テレビアンテナの信号とゲーム機の信号とを切り替えてテレビに出力できるように構成されている。更に、該ＲＦモジュレータ１０の本体１１は、図１及び図２に示すように、合成樹脂にて形成されたモールドケース１５と金属にて形成されたシールドケース１６とにより構成され、且つ、該シールドケース１６内に各種電子部品を搭載した回路基板（図示せず）が組み込まれている。該回路基板にはハンダ付け等の手段によって前記ケーブル１２，１３の端子が接続される。
【００１５】
而して、前記ゲーム機の信号入力用のケーブル１２の端部にはブッシュ１７が装着され、更に、前記テレビ出力用のケーブル１３の端部にはブッシュ１８が装着されている。該ブッシュ１７及び１８は夫々合成樹脂にて形成されており、且つ、該ブッシュ１７及び１８は夫々端部方向に順次拡径するように截頭円錐形状に形成されると共に、その外周面には夫々環状溝１９，１９…が設けられている。但し、図２に示す如く、該ブッシュ１８の端部に於いては前記モールドケース１５内に設置されているシールドケース１６に開穿された第１開穿孔２０を受け入れて相互に密嵌させるための第１係合溝２１が周設されており、そして、該第１係合溝２１と該第１開穿孔２０とを密嵌して該ブッシュ１８を前記シールドケース１６に固定している。
【００１６】
又、前記モールドケース１５には前記第１開穿孔２０と対峙する個所に第２開穿孔２２が設けられており、一方、該第２開穿孔２２を受け入れて、該第２開穿孔２２と密嵌する第２係合溝２３が前記第１係合溝２１に接近して該ブッシュ１８に周設されており、そして、該第２開穿孔２２と第２係合溝２３とを密嵌させて該ブッシュ１８を該モールドケース１５に固定している。
【００１７】
又、該モールドケース１５は図３の正面図に於いて、右方に図示されているアッパーケース１５ａと左方に図示されているロワーケース１５ｂとから成り、且つ、前記第２開穿孔２２は該アッパーケース１５ａとロワーケース１５ｂとを合接することにより円形状に形成され、そして、ブッシュ１８に設けられている前記第２係合溝２３に密嵌できるように形成されている。
【００１８】
尚、図３に於いて、符号２４はジャック挿通孔である。又、図示は省略したが前記シールドケース１６はケース本体部と蓋体部とから成り、該ケース本体部に各種電子部品を搭載した回路基板が組み付けられ、そして、前記ケーブル１３を該回路基板のランド等にハンダ付け等の手段で接続されるとき、前記ブッシュ１８端部に設けられている第１係合溝２１と、前記シールドケース１６に設けられている前記第１開穿孔２０とを密嵌させて該ブッシュ１８を該シールドケース１６に固定する。然るときは、該ケーブル１３も又、該シールドケース１６に強固に固定されることになるので、該ケーブル１３を前記回路基板のランド等にハンダ付けにて溶着する作業が容易となり、且つ、該ケーブル１３が断線するようなことはなくなる。而も、該ＲＦモジュレータ１０の組立工程の動作確認は前記シールドケース１６にＲＦモジュレータ１０の回路基板等が組み付けられた状態で行われるので、若し、前記ケーブル１３が該シールドケース１６に固定されていない状態で実施されたときには、該ケーブル１３は断線する可能性が大であるが、本発明に於いては前述したように、シールドケース１６に該ケーブル１３を緊縛したブッシュ１８を固定しているため、ケーブル１３に対するストレスが負荷されず、従って、前述したように該ケーブル１３の断線が可及的に阻止されることになるのである。
【００１９】
又、前述の説明は図１に図示した左方のケーブル１３及び之に装着されているブッシュ１８の固定について記述したが、同図右方のケーブル１２及びブッシュ１７、並びに之を固定するためのシールドケース１６に開穿された前記第１開穿孔２０及び、該第１開穿孔２０と密嵌するために前記ブッシュ１７に設けられた第１係合溝２１、並びに前記モールドケース１５に設けられた第２開穿孔２２、及び該第２開穿孔２２と密嵌するための前記ブッシュ１７に設けられた第２係合溝２３等は図１に於いて左方のケーブル１３及び、該ケーブル端部近傍に装着されている前記ブッシュ１８側における構成と同一であり、依って、夫々の奏する作用効果も双方は全く同一である。
【００２０】
尚、本発明は、本発明の精神を逸脱しない限り種々の改変を為すことができ、そして、本発明が該改変されたものに及ぶことは当然である。
【００２１】
【発明の効果】
請求項１記載の発明は、ＲＦモジュレータの回路基板等が組み付けられるシールドケースに、信号線等から成るケーブル端部近傍に装着されているブッシュを固定するために該シールドケースに第１開穿孔が設けられ、更に、該第１開穿孔に対応する第１係合溝を該ブッシュに設け、そして、該第１開穿孔と第１係合溝とを密嵌させることにより該ブッシュを該シールドケースに固定する。従って、該ブッシュに緊縛されているケーブルも固定するので、該ケーブルをシールドケース内の回路基板にハンダ付け等の手段で接続する作業も良好となり、更に、ＲＦモジュレータの組立工程の動作確認が該シールドケースに前記ＲＦモジュレータの回路基板等が組み付けられた状態で実行されるとき、前記ケーブルが該シールドケースに固定された状態で行われるので、該ケーブルが断線するようなことはなくなり、依って、ＲＦモジュレータの品質及び歩留りを向上させることができる。
【００２２】
請求項２記載の発明は、請求項１記載の発明に加え、上記ケーブルに装着されているブッシュに第２係合溝を設け、該第２係合溝に密嵌するための第２開穿孔をモールドケースに設けているので、該第２開穿孔と第２係合溝とを密嵌させることにより、該ブッシュは該モールドケースによっても該モールドケースとの前記密嵌部位にて固定されることになり、依って、モールドケースの外側にあるケーブルが不意に他物に引掛しても該ケーブルは一次的に該モールドケースとの固定によって引掛力が吸収され、更に、２次的に前記シールドケースによる固定によって前記引掛力等は完全に吸収されることになり、斯くして、該ケーブルの断線は一層強力に阻止されることになる。
【００２３】
又、請求項３記載の発明は、シールドケースとモールドケースとが近接して組み付けられているので、モールドケース組み付け後のケーブルの固定並びにＲＦモジュレータの組付け強度が一層増大し、品質性能及び歩留りの向上に寄与することが可能となる。
【図面の簡単な説明】
【図１】本発明の一実施の形態を示し、ＲＦモジュレータの平面図。
【図２】本発明の要旨を示す一部切欠拡大平面図。
【図３】モールドケースの正面図。
【図４】従来例のＲＦモジュレータの一部切欠拡大平面図。
【符号の説明】
１０　　　　　ＲＦモジュレータ
１１　　　　　本体
１２，１３　　ケーブル
１５　　　　　モールドケース
１６　　　　　シールドケース
１７，１８　　ブッシュ
２０　　　　　第１開穿孔
２１　　　　　第１係合溝
２２　　　　　第２開穿孔
２３　　　　　第２係合溝
【図１】
2004072042.tif 000003
【図２】
2004072042.tif 000004
【図３】
2004072042.tif 000005
【図４】
2004072042.tif 000006